(57)【特許請求の範囲】
【請求項１】
押出プレスのシャー装置において、
シャー刃移動シリンダとディスカード切断シリンダとをそれぞれ分離独立して設け、前記シャー刃移動シリンダによりシャー刃をディスカード切断位置に移動させた後に、
ディスカードの切断力を前記ディスカード切断シリンダ、係合手段、シャースライド、シャー刃を介して伝達する構成とし、
前記シャースライドの上端部に前記ディスカード切断シリンダのピストンロッドと前記シャースライドを係合する前記係合手段を備えた押出プレスのシャー装置。
【請求項２】
前記ディスカードを切断するときに、前記シャー刃移動シリンダ及びディスカード切断シリンダの両方に圧油を供給してディスカード切断力を得る請求項１に記載の押出プレスのシャー装置。
【発明の詳細な説明】
【技術分野】
【０００１】
本発明は、アルミニウム合金等の金属押出用押出プレスにおいて、押出成形後にコンテナをダイスより離間させたのち、ビレットの押出残部であるディスカードをダイスの端面で切断して押出製品部より切り離すシャー装置に関するものである。
【背景技術】
【０００２】
従来の押出プレスのシャー装置は図５に示すように、ダイス２１を保持しているエンドプラテン２０の上部のコンテナ側に設けたフレーム３５に、ディスカード切断用としてのシャー装置３０が下方に向けて取り付けられていて、シャーシリンダ３１のピストンロッド３２下端部にシャースライド３３を介してシャー刃３４が設けられた構成となっている。
【０００３】
ビレットが限度量まで押出された段階で押出ステムの前進を停止する。その後、コンテナを若干後退させ、ビレットの押出残部であるディスカード２２がコンテナから突き出された状態とし、押出ステムは更に後退させる。そして、この際、ディスカード２２の前端面とダイス２１の後端面とはシャー刃３４の鉛直下方に位置するようになっている。しかる後、シャーシリンダ３１を作動することによって、シャー刃３４を下降させてディスカード２２を切断し、ディスカード２２と製品２３とを分離する。（特許文献１参照）
【０００４】
ところで、従来型の押出プレスのシャー装置では、シャー刃の無負荷動作、即ち、ディスカード切断前の下降移動とディスカード切断後の上昇移動、及びシャー刃の負荷動作、即ち、ディスカードの切断を、シャー切断力で設定された一本又は複数の油圧シリンダを用いて行なう構成となっている。このため、シャー刃の無負荷動作を高速化してサイクルタイムを短縮しようとすると、シャーシリンダには多量の圧油を供給することが要求され、それに伴い多量のエネルギーを消費するという問題があった。
【先行技術文献】
【特許文献】
【０００５】
【特許文献１】特開平５−１３８２３５号公報
【発明の概要】
【発明が解決しようとする課題】
【０００６】
本発明は、上記問題を解決するためになされたものであり、ディスカード切断工程のサイクルタイムを短縮するとともに、エネルギー効率に優れた押出プレスのシャー装置を提供することを目的とする。
【課題を解決するための手段】
【０００７】
上記の目的を達成するため本発明の請求項１に記載の押出プレスのシャー装置は、押出プレスのシャー装置において、シャー刃移動シリンダとディスカード切断シリンダとをそれぞれ分離独立して設け、前記シャー刃移動シリンダによりシャー刃をディスカード切断位置に移動させた後に、ディスカードの切断力を前記ディスカード切断シリンダ、係合手段、シャースライド、シャー刃を介して伝達する構成とし、前記シャースライドの上端部に前記ディスカード切断シリンダのピストンロッドとシャースライドを係合する前記係合手段を備えた。
本発明の請求項２に記載の押出プレスのシャー装置は請求項１に記載の発明において、前記ディスカードを切断するときに、前記シャー刃移動シリンダ及びディスカード切断シリンダの両方に圧油を供給してディスカード切断力を得る。
【発明の効果】
【０００８】
シャー刃の無負荷作動の出力に設定したシャー刃移動シリンダを独立して設ける構成としたので、シャー刃の無負荷移動にける移動速度を少量の圧油供給で高速化することができる。このため、シャー工程におけるサイクルタイムの短縮と、シャー刃の無負荷移動におけるエネルギー消費量を削減することができる。
シャー刃移動シリンダとディスカード切断シリンダとを分離独立して設け、ディスカードの切断を前記の両方のシリンダを用いて行う構成としたので、前記各シリンダの小径化が図れ、シャー装置全体を小型化することができる。特に、シャー装置の全高を低くすることができるので、低い建屋であっても押出プレスの設置が可能となる効果を奏する。
【図面の簡単な説明】
【０００９】
【図１】本発明の押出プレスのシャー装置を示す要部縦断面図である。
【図２】図１のＡ−Ａ線に沿う断面図である。
【図３】シャー刃がディスカード切断位置に移動した状態を説明する図面である。
【図４】シャー刃がディスカード切断完了位置に移動した状態を説明する図面である。
【図５】従来の押出プレスのシャー装置を示す要部縦断面図である。
【発明を実施するための形態】
【００１０】
図１〜図４は本発明の実施の形態を示し、２０はエンドプラテン、２１はダイスである。エンドプラテン２０の中心部にはダイス２１から押出される製品２３が通る穴が設けられている。そして、符号２２はビレットの押し残しで、製品２３と切断して分離され回収されるディスカードである。
ダイス２１を前面側に保持しているエンドプラテン２０のコンテナ側上部には、シャー装置３０が取り付けられている。
【００１１】
シャー装置３０において、３５はエンドプラテン２０のダイス２１上面に取り付けられたフレーム、４１はディスカード切断シリンダ、４２はディスカード切断シリンダのピストンロッド、４３はシャー刃移動シリンダ、４４はシャー刃移動シリンダのピストンロッドである。３３はフレーム３５にガイドされて上下動自在に配されたシャースライドであり、その下端部ダイス側には、下方に向けてディスカード２２と製品２３とを切断して分離するシャー刃３４が取り付けられている。図２に示すように、シャー刃移動シリンダ４３はディスカード切断シリンダ４２の両側に２本設けた構成としている。
【００１２】
図に示すように、ディスカード切断シリンダ４１及びシャー刃移動シリンダ４３はフレーム３５の上端部に取り付けられ、シャー刃移動シリンダのピストンロッド４４が固定板４６を介してシャースライド３３に取り付けられる構成となっている。
４７はシャー刃３４がディスカード切断位置より上側にあるときにディスカード切断シリンダのピストンロッド４２を通すための挿通孔で、シャースライド３３及び固定板４６に設けられている。
【００１３】
５０はシャースライド３３の上端部に取り付けたディスカード切断シリンダのピストンロット４２とシャースライド３３を係合する係合手段である。
係合手段５０は、固定板４６に取り付けられた係合シリンダ５１と、同じく固定板４６上面を係合シリンダ５１により摺動自在とした係合駒５２により要部が構成され、後退位置にある係合駒５２が前進移動したときに挿通孔４７を塞ぐことによって、ディスカード切断シリンダのピストンロット４２とシャースライド３３との係合を可能としている。本発明において、係合シリンダ５１は空圧シリンダが用いられることが好ましい。
本発明の実施の形態において、係合手段を固定板に取り付け係合駒を移動させる構成としたが、この構成に限るものではなく、例えば、シャーガイド上端に挿通孔と直交する方向に案内溝を設け、この案内溝内を係合駒がスライドする構成等でも良い。
【００１４】
次に、本発明のシャー装置３０の作用について説明する。
まず、ビレットの押出が完了した後、図示しないコンテナと同じく図示しないステムを後退させて、コンテナをダイス２１より離間させる。この操作によりダイス２１のコンテナ側端面にビレットの押し残しであるディスカード２２が取り残される。この状態で、図１に示すように、シャー刃３４は上昇限位置にある。次いで、図３に示すように、シャー刃移動シリンダ４３の駆動により、シャー刃３４がディスカード２２の外径部に当たる手前の所定のディスカード切断位置まで下降し、シャー刃３４の下降を一端停止する。そして、所定のディスカード切断位置で係合シリンダ５１の作動により係合駒５２を前進移動させ、ディスカード切断シリンダのピストンロット４２とシャースライド３３とを係合可能状態にする。これにより、ディスカード切断シリンダ４１の出力を、係合手段５０を介して、シャー刃３４へ伝達することができるのである。
【００１５】
ディスカード切断シリンダ４１及びシャー刃移動シリンダ４３両方のシリンダに圧油を供給して再びシャー刃３４を下降させることにより、ディスカード２２は切断される。図４は、シャー刃３４が下降限位置にあり、ディスカード２２が製品２３より分離された状態を示している。
図４で示すシャー刃３４の下降限位置で係合シリンダ５１の作動により係合駒５２を後退移動させ、ディスカード切断シリンダのピストンロット４２とシャースライド３３との係合状態を解除する。次いで、ディスカード切断シリンダ４１及びシャー刃移動シリンダ４３両方のシリンダのロッド側に圧油を供給、シャー刃３４を上昇移動させ、上昇限位置にて停止させる。そして、図１の状態で待機し、次の押出サイクルの動作に備えるのである。なお、本発明のシャー装置に用いる油圧シリンダは、不燃性の作動油によって駆動される構成であっても良い。
【００１６】
本発明の実施の形態において、係合手段を固定板に取り付け係合駒を移動させる構成としたが、この構成に限るものではなく、例えば、シャーガイド上端に挿通孔と直交する方向に案内溝を設け、この案内溝内を係合駒がスライドする構成等である。
【００１７】
以上説明したように、本発明の押出プレスのシャー装置は、シャー刃の無負荷移動とディスカード切断を分離独立して設けたシリンダにより行なう構成としたので、シャー工程におけるサイクルタイムの短縮と、シャー刃の無負荷移動におけるエネルギー消費量を削減することができる。
また、ディスカードの切断を前記の両方のシリンダを用いて行なう構成としたので、前記各シリンダの小径化が図れ、シャー装置全体を小型化することができるという効果を奏する。
【符号の説明】
【００１８】
２０    エンドプラテン
２１    ダイス
２２    ディスカード
２３    製品
３０    シャー装置
３３    シャースライド
３４    シャー刃
３５    フレーム
４１    ディスカード切断シリンダ
４３    シャー刃移動シリンダ
４６    固定板
４７    挿通孔
５０    係合手段
５１    係合シリンダ
５２    係合駒
【図１】
0005831743.tif 000002
【図２】
0005831743.tif 000003
【図３】
0005831743.tif 000004
【図４】
0005831743.tif 000005
【図５】
0005831743.tif 000006